【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
背もたれが、着座者の体圧がかかる体圧支持体とこれを後ろから支えるバックフレームとを備えており、前記バックフレームは、上下方向に長い左右のサイドフレームを有していて、前記サイドフレームに前記体圧支持体の左右側部が取付けられている構成であって、
前記体圧支持体は、着座した人の腰部に当たる前向き突出部を有する側面視く字形に形成されていて、前記前向き突出部よりも下方の部分は後ろ下方に向かう下向き傾斜部になっており、前記体圧支持体のうち前記前向き突出部の頂点よりも上に位置した部位の左右側部が、前記サイドフレームに対して左右ずれ不能及び前後ずれ不能に連結されている一方、
前記バックフレームは、前向き突出部を有する側面視く字形になっており、前記体圧支持体の前向き突出部を前記バックフレームの前向き突出部よりも下に位置させることにより、前記体圧支持体の下向き傾斜部とバックフレームとの間に間隔が空いており、かつ、前記体圧支持体の下向き傾斜部の下端は座の後方に向かっている、
椅子。
【請求項２】
前記体圧支持体は、前後に開口した多数の穴が空いている樹脂製の背板である、
請求項１に記載した椅子。
【請求項３】
前記体圧支持体は、前後に開口した樹脂製のフレーム材にメッシュ状のサポートシートを張った構造になっている、
請求項１に記載した椅子。
【請求項４】
前記左右サイドフレームの上端には左右横長のアッパフレームが一体に繋がっており、前記アッパフレームと前記体圧支持体との間には左右横長の上空間が空いていて、前記アッパフレームを人が手で掴むことが許容されている、
請求項１〜３のうちのいずれかに記載した椅子。
【手続補正２】
【補正対象書類名】明細書
【補正対象項目名】全文
【補正方法】変更
【補正の内容】
【発明の詳細な説明】
【発明の名称】椅子
【技術分野】
【０００１】
本願発明は、背もたれを備えた椅子に関する。
【背景技術】
【０００２】
椅子の背もたれとして、外周部を構成する強度メンバーとしてのバックフレームと、このバックフレームの前に配置された背板とを有する構成として、背板をバックフレームに取り付けたものがある。その一例が特許文献１に開示されている。
【０００３】
すなわち特許文献１では、背板は、バックフレーム（背凭れフレーム）との間に間隔を空けた状態で配置されており、バックフレームにおける左右縦フレームの前面に上向きに突出した軸部を一体に設ける一方、背板の左右側部には、縦フレームの軸部に上から嵌まる雌形の係合部を設けている。特許文献１において背板には多数の縦長スリットが形成されており、このため、背板は着座者の体圧で伸び変形することが許容される。すなわち、背板は自身が伸び変形してクッション性を確保している。
【先行技術文献】
【特許文献】
【０００４】
【特許文献１】特開２００８−１１９２２０号公報
【発明の概要】
【発明が解決しようとする課題】
【０００５】
さて、背もたれのデザインは様々であり、特許文献１のように体圧支持体をバックフレームの手前に間隔を空けて配置することも一つのデザイン思想であるが、体圧支持体がバックフレームに重なり合った外観を好む人も多い。すなわち、体圧支持体とバックフレームとを互いに重ねて連結する構成についての要望もある。しかして、特許文献１のように軸部と係合部とを露出させた構成ではこのような要望には応えることができない。
【０００６】
また、特許文献１では背板は強度メンバーとしては殆ど機能しておらず、強度メンバーの役割は専らバックフレームが担っている。このため、バックフレームの剛性を高くするには、太さを太くしたりアルミダイキャスト製にしたりといった手段を講じなければならず、このためコストが嵩むことが懸念される。
【０００７】
本願発明はこのような現状に鑑み成されたものであり、バックフレームに体圧支持体を取付けてなる背もたれを、より改良された形態で提供せんとするものである。
【課題を解決するための手段】
【０００８】
請求項１の発明は、
背もたれが、着座者の体圧がかかる体圧支持体とこれを後ろから支えるバックフレームとを備えており、前記バックフレームは、上下方向に長い左右のサイドフレームを有していて、前記サイドフレームに前記体圧支持体の左右側部が取付けられている構成であって、
前記体圧支持体は、着座した人の腰部に当たる前向き突出部を有する側面視く字形に形成されていて、前記前向き突出部よりも下方の部分は後ろ下方に向かう下向き傾斜部になっており、前記体圧支持体のうち前記前向き突出部の頂点よりも上に位置した部位の左右側部が、前記サイドフレームに対して左右ずれ不能及び前後ずれ不能に連結されている一方、
前記バックフレームは、前向き突出部を有する側面視く字形になっており、前記体圧支持体の前向き突出部を前記バックフレームの前向き突出部よりも下に位置させることにより、前記体圧支持体の下向き傾斜部とバックフレームとの間に間隔が空いており、かつ、前記体圧支持体の下向き傾斜部の下端は座の後方に向かっている。
【０００９】
本願発明は様々に展開できる。その展開例を請求項２〜４に記載している。このうち請求項２の発明は、請求項１において、前記体圧支持体は、前後に開口した多数の穴が空いている樹脂製の背板である。
【００１０】
請求項３の発明は、請求項１において、前記体圧支持体は、前後に開口した樹脂製のフレーム材にメッシュ状のサポートシートを張った構造になっている。
【００１１】
請求項４の発明は、請求項１〜３のうちのいずれかにおいて、前記左右サイドフレームの上端には左右横長のアッパフレームが一体に繋がっており、前記アッパフレームと前記体圧支持体との間には左右横長の上空間が空いていて、前記アッパフレームを人が手で掴むことが許容されている。
【００１２】
【００１３】
【発明の効果】
【００１４】
請求項１の発明では、バックフレームのサイドフレームに体圧支持体（例えば背板）の左右側部を重ねたものでありながら、体圧支持体とバックフレームとを外から見えない状態で連結できる。このため、体圧支持体の左右側部がバックフレームのサイドフレームに重ね合わせられてスッキリしたデザインの背もたれを容易に実現できる。
【００１５】
さて、背板のような体圧支持体に着座者の荷重が掛かると体圧支持体にはその左右両側部に引っ張り力が掛かるため、体圧支持体はその左右両側部をバックフレームに取付けるのが合理的であり、そこで本願発明では、サイドフレームに体圧支持体を取付けている。従って、着座者の体圧をしっかりとサポートできると共に、体圧支持体のベンディングも許容してクッション性の確保可能になる。
【００１６】
体圧支持体をサイドフレームに取り付けるための係合手段は様々な構造を採用できるが、実施形態のように体圧支持体を上から下にずらして嵌まり合う爪方式を採用すると、体圧支持体の取付けを簡単に行える利点がある。また、背もたれは後ろから押されることがあるが、実施形態の構成を採用すると体圧支持体は前向き移動不能に保持されているため、後ろからの荷重にも強い。
【００１７】
【００１８】
【００１９】
【図面の簡単な説明】
【００２０】
【図１】実施形態に係る椅子の外観図で、（Ａ）は斜視図、（Ｂ）は側面図である。
【図２】椅子を上方から見た斜視図である。
【図３】（Ａ）（Ｂ）とも分離斜視図である。
【図４】背板を裏返してバックフレームと並べた部分斜視図である。
【図５】図４の部分拡大図である。
【図６】図５の部分的な拡大図である。
【図７】図４の上部の部分拡大図である。
【図８】（Ａ）はバックフレームの部分的な拡大図、（Ｂ）は背もたれの部分的な平面図である。
【図９】背板の下側部の斜視図である。
【図１０】（Ａ）はメッシュ式表皮材の取付けを説明するための分離平面図、（Ｂ）はアッパーフレームの破断斜視図、（Ｂ）はロアフレームの破断斜視図である。
【図１１】（Ａ）は背板とメッシュ式表皮材との分離背面図、（Ｂ）は（Ａ）のＢ−Ｂ視断面図、（Ｃ）は（Ａ）のＣ−Ｃ視断面図、（Ｄ）は（Ａ）のＤ−Ｄ視断面図、（Ｅ）は（Ａ）のＥ−Ｅ視断面図である。
【図１２】（Ａ）はメッシュ式表皮材の張り状態を説明するための縦断側面図、（Ｂ）は背もたれを図８（Ａ）のXIIB-XIIB 視箇所で切断した側断面図、（Ｃ）は背もたれを図８（Ａ）の XIIC-XIIC視箇所で切断した側断面図である。
【図１３】（Ａ）は背もたれを図５の XIIIA-XIIIA視箇所で切断した平断面図、（Ｂ）は背もたれを図５の XIIIB-XIIIB視箇所で切断した平断面図、（Ｃ）は背もたれを図５の XIIIC-XIIIC視箇所で切断した平断面図である。
【図１４】（Ａ）は袋状表皮材でクッションを覆ったクッションユニットの概略正面図、（Ｂ）は（Ａ）のＢ−Ｂ視断面図、（Ｃ）は（Ａ）のＣ−Ｃ視断面図、（Ｄ）は（Ａ）のＤ−Ｄ視断面図である。
【図１５】クッションタイプの背もたれに関して図１２と同様の図である。
【図１６】クッションタイプの背もたれに関して図１３と同様の図である。
【発明を実施するための形態】
【００２１】
次に、本願発明の実施形態を図面に基づいて説明する。本願発明は、事務用に多用されている回転椅子に適用している。以下の説明では方向を特定するため前後・左右の文言を使用するが、これは、椅子に普通に着座者した人の向きを基準にして、着座者が向いた方向を前として定義している。正面視方向は着座者と相対向した方向であり、背面視方向は着座者を後ろから見た方向である。
【００２２】
(1).概略
図１，２に示すように、椅子は、脚支柱（ガスシリンダ）１のみを表示した脚装置、脚支柱１の状態に固定したベース２、ベース２の上方に配置した座３、座３の後ろに配置された背もたれ４を有している。
【００２３】
背もたれ４は、ベース２に後傾動可能に連結されたバックフレーム５と、体圧支持体の一例としてバックフレーム５の前面に取り付けた背板６（インナーシェル）とを強度メンバーとしており、図１（Ａ）に示すように、背板６の前面にメッシュ式表皮材７を張っている。
【００２４】
図３に示すように、バックフレーム５は、その左右側部を構成する上下長手の左右サイドフレーム８と、左右サイドフレーム８の上端に繋がった横長のアッパフレーム９と、左右サイドフレーム８の下端に繋がった左右長手のロアフレーム１０とを有しており、全体として略四角形で前後に開口した枠状になっている。更に、左右サイドフレーム８の下端には、ベース２の左右外面に向けて前向きに延びるサイドアーム１１が一体に形成されている。
【００２５】
バックフレーム５は、ポリプロピレンやナイロン樹脂のような合成樹脂を材料にした成形品を使用しているが、アルミダイキャスト品を採用することも可能である。また、例えばサイドアーム１１を別部材にするなど、複数の部材で構成することも可能である。
【００２６】
例えば図２に示すように、バックフレーム５のアッパフレーム９は、その左右側部だけに背板６が取り付くように平面視で大きく前向き開口した状態に形成されている。換言すると、バックフレーム５のアッパフレーム９と背板６との間に、人が手先を挿入できる左右横長の上空間１３が空いている。従って、背板６の上部には、後ろから視認できる上露出部６ａが存在している。このため、人がバックフレーム５のアッパフレーム９を手で掴むことができるのみならず、背板６の上端部が弾性変形することも可能になっている。
【００２７】
図１（Ｂ）や図２に明示するように、バックフレーム５のサイドフレーム８は、着座者の腰よりやや高い位置の部分が最も前となるように側面視で前向き突形に屈曲している。従って、バックフレーム５のサイドフレーム８は側面視でくの字形に屈曲しており、このためサイドフレーム８は頂点部１４を有している。
【００２８】
背板６は、サイドフレーム８（バックフレーム５）の頂点部１４よりも下方の部位ではサイドフレーム８に取り付いていない。従って、背板６のうちバックフレーム５の頂点部１７よりも下方の部位は、下方にオーバーハングして下端を自由端とした片持ち梁状部６ｂになっており、片持ち梁状部６ｂは、後ろからも視認できる（図１参照）。図１（Ｂ）に明示するように、片持ち梁状部６ａは前向きに突出しており、従って、背もたれ５は側面視でく字形に形成されており、片持ち梁状部６ａで着座者の腰部が支持される。また、片持ち梁状部６ａとバックフレーム５（サイドフレーム８）との間には間隔が空いている。
【００２９】
また、バックフレーム５のサイドフレーム８は、着座者が凭れ掛かっていないニュートラル状態で頂点部１４よりも上の部分は後傾姿勢になって、頂点部１４より下方の部分は前傾姿勢になっている。頂点部１４より上方の部分が鉛直線に対して後傾した角度よりも、頂点部１４より下方の部分が鉛直線に対して前傾した角度がやや大きくなっている。アッパフレーム９とロアフレーム１０とは、平面視で前向き凹状に緩く湾曲している。
【００３０】
(2).背板及びバックフレーム
次に、背板６とバックフレーム５の構造を説明する。メッシュ式表皮材７の取付け構造は、背板６及びバックフレーム５の構造を説明してから述べる。
【００３１】
背板６はポリプロピレンのような合成樹脂製を材料にした成形品であり、上下長手の左右のサイドメンバー１６と、サイドメンバー１６の上端間に一体に繋がったアッパメンバー１７と、左右サイドメンバー１６の下端に一体に繋がったロアメンバー１８とで略四角形の外形を構成し、更に、その内部には、左右サイドメンバー１６に繋がった横長サポート板１９が多段に配置されている。
【００３２】
従って、背板６は横穴が多段に形成された外観を成している。上下に隣り合った横長サポート板１９は細巾の連結片で繋がっており、また、横長サポート板１９の左右側部には後ろ向きのリブを設けているが、本願発明との直接の関係はないのでこれらの説明は省略する。
【００３３】
例えば図４に示すように、バックフレーム５のサイドフレーム８は前向き開口した溝形になっている。従って、サイドフレーム８が重なる部分にはその全長にわたって延びる縦長溝２０が形成されている。アッパフレーム９のうち背板６のアッパメンバー１７と重なる支持部も前向き開口の溝形になっている。他方、背板６の各メンバー１６，１７，１８は、後ろ向きに開口した溝形になっている。
【００３４】
そして、図１３に示すように、サイドフレーム８とサイドメンバー１６とは、前後方向から重なっている。サイドフレーム８の背部２１は、平面視で外側に行くほど前に出るように緩く湾曲しており、これに内壁２２と外壁２３とを設けることで縦長溝２０を形成している。サイドフレーム８の背部２１は、内壁２２よりも内側にはみ出ている。背板６のサイドメンバー１６は、平断面視で前向き凸状に緩く湾曲しており、これに、サイドフレーム８の内壁２２に向けて延びる内向きリブ２４を形成することにより、後ろ向きに開口した浅い溝が形成されている。
【００３５】
サイドフレーム８の内壁２２とサイドメンバー１６の内向きリブ２４とには、互いに噛み合う内側段部２５を形成している。このように、内側段部２５が互いに噛み合っていることにより、背板６は内向きずれ不能に保持されている。サイドフレーム８の内壁２２と背板６の内側段部２５との間には、スリット状の隙間が空いている。
【００３６】
このため、表皮材の厚さが相違してもその違いを吸収できる。また、サイドフレーム８の内壁２２と背板６の内向きリブ２４とがこすれ合って粉が発生する可能性があるが、仮に粉が発生しても、粉は上記の隙間の箇所に付着するため外部から視認できず、このため美感低下を防止できる。
【００３７】
サイドフレーム８の内側段部２５と背板６の内向きリブ２４とは、表皮材７を介して当接するようになっている。このため、背板６は、サイドフレーム８に対する前後位置が正確に規定されている。
【００３８】
サイドフレーム８の外壁２３は細巾のリブ状で背部２２の外端よりも内側にずれて形成されており、このため、外壁２３の外側には外側段部２６が形成されている。サイドフレーム８の外壁２３とサイドメンバー１６との間には若干の空間が空いている。
【００３９】
例えば図４に示すように、背板６におけるサイドメンバー１６の内面には、上下長手で板状の雄形嵌合部２７が上下に離れて３個形成されている。他方、サイドフレーム８の縦長溝２０には、背板６の雄形嵌合部２７を左右から挟む２枚のリブより成る雌形嵌合部２８が３対形成されている。サイドメンバー１６に雌形嵌合部２８を形成して、サイドフレーム８に雄形嵌合部２７を形成してもよい。
【００４０】
これら雌雄嵌合部２７，２８が嵌まり合うことにより、背板６はバックフレーム５に対して左右ずれ不能に保持されている。このため、ロッキングに際してサイドメンバー１６がサイドフレーム８に対して内向きにずれ移動することはなく、また、サイドフレーム８とサイドメンバー１６とが一体化したような状態になって、背もたれ４の全体の剛性が高くなっている。このため、ロッキングの荷重でサイドフレーム８とサイドメンバー１６とが左右にずれて両者の間に隙間が開くような不具合は生じない。
【００４１】
これら雌雄嵌合部２７，２８が嵌まり合うことにより、背板６はバックフレーム５に対して左右ずれ不能に保持されている。このため、ロッキングに際してサイドメンバー１６がサイドフレーム８に対して内向きにずれ移動することはなく、また、サイドフレーム８とサイドメンバー１６とが一体化したような状態になって、背もたれ４の全体の剛性が高くなる。
【００４２】
雌雄嵌合部２７，２８は前後に密着した状態で嵌合しており、このため、雌雄嵌合部２７，２８は、サイドフレーム８とサイドメンバー１６との前後位置を規制するストッパー手段も構成している。
【００４３】
図４，５に示すように、背板６におけるサイドメンバー１６の溝内には、側面視で下向き鉤形の第１係合爪３０が上下に離反して２個形成されている一方、バックフレーム５のサイドフレーム８には、第１係合爪３０と噛み合う上向き鉤形の第２係合爪３１が上下に離反して２個形成されている。これら係合爪３０，３1 の噛み合いにより、背板６はバックフレーム５に対して前向き移動不能に保持されている。また、平面視でねじるように作用する外力に対する抵抗も付与されている。
【００４４】
例えば図５に示すように、サイドフレーム８のうち頂点部１４の箇所には仕切り板３２が形成されており、縦長溝２０は仕切り板３２で上下に分断された状態になっている。そして、縦長溝２０のうち仕切り板３２のすぐ上の箇所の内側面に、上面３３ａが側面視で上に行くほど前に傾斜した下ガイド部３３を形成している一方、背板６におけるサイドメンバー１６には、下ガイド部３３と内壁２２との間に入り込む下部突起３４を形成し、下部突起３４に、下ガイド部３３の傾斜面に重なり合う横向きストッパー３４ａを設けている。
【００４５】
背板６を、その上部がバックフレームから大きく離れるように手前に傾けることにより、横向きストッパー３４ａを下ガイド部３３の内側の支点部に嵌め込むことができる。サイドメンバー１６には、下部突起３４に繋がった状態で上に延びる下部位置決め突起３５を設けている。下部位置決め突起３５は、サイドフレーム８における縦長溝２０の底面に近接している（当接させてもよい。）。
【００４６】
例えば図４〜７に示すように、背板６のサイドメンバー１６には、表皮材を取付けるための後ろ向き突出したボス３６が、上下適宜間隔で複数個形成されている。ボス３６は、先端に行くほど外径が小さくなる台錘状に形成されている。他方、サイドフレーム８の縦長溝２０には、サイドメンバー１６のボス３６が当接する受け部３７を形成している（図１３（Ｂ）も参照）。
【００４７】
従って、ボス３６及び受け部３７も、サイドフレーム８とサイドメンバー１６との前後位置を規制するストッパーの役目を果たしている。図１１に示すように、ボス部３６は、背板６のサイドフレーム８とアッパフレーム９との連接箇所にも形成している。
【００４８】
例えば図４から容易に理解できるように、縦長溝２０はアッパフレーム９の左右側部に形成した横長溝３８に連続している。アッパフレーム９には、上空間１３の左右端面を構成する押さえ部３９が形成されており、押さえ部３９よりも外側に横長溝３８が開口している。押さえ部３９には前向きの補助リブ４０が形成されており、更に、補助リブ４０にサイドフレーム８の内壁２２と連続する上係合片４１が形成されており、上係合片４１に上係合穴４２が空いている。
【００４９】
他方、背板６のアッパメンバー１７には、上係合穴４２に上から嵌まり係合する上係合爪４３が形成されている。また、アッパメンバー１７のうち上係合爪４３の内側には、サイド仕切り板４４が形成されている。サイド仕切り板４４は、アッパフレーム９における補助リブ４０の外端部に載るように設定されている。サイド仕切り板４４には、上係合爪４３の上方に位置する庇片４４ａを設けている。
【００５０】
図１０（Ｂ）や図１２（Ａ）に示すように、アッパメンバー１７の前面は上に行くに従って後ろにずれるように湾曲しており、このアッパメンバー１７の背面には、３段のリブを形成することで上横溝４５と下横溝４６とが形成されている。図８に明示するように、上下の横溝４５，４６は左右サイド仕切り板４４の間に形成されている。
【００５１】
例えば図４から推測できるように、アッパメンバー１７のサイド仕切り板４４はアッパフレーム９における押さえ部３９の外側面の箇所に位置している。従って、図１５（Ｂ）にも示すように、アッパメンバー１７における上下横溝４５，４６の左右端部は押さえ部３９の手前に位置している。
【００５２】
図１０（Ｃ）に示すように、背板６のロアメンバー１８は後ろ向きに開口した断面略つ字形を成しており、上部内面には段部を形成している。また、左右中間部と左右両側部とには前後に開口した下係合穴４７が形成されており、係合穴４７の箇所に下突起４８を上向き突設している。
【００５３】
図９に示すように、背板６におけるサイドメンバー１６のうち下部突起３４よりも下方の部位（すなわち、サイドメンバー１６の片持ち梁状部１６ａ）にも長溝２０が形成されており、この片持ち梁状部１６ａの長溝２０に、内向き鉤形の鉤形ボス５０を突設している。また、片持ち梁状部１６ａの長溝２０には、内側段部２２と同じ高さの支持リブ５１を適宜間隔で複数形成している。
【００５４】
背板６の取り付けは次の手順で行う。すなわち、まず、図５から理解できるように、背板６を手前に倒した姿勢にして下部突起３４をサイドフレーム８の下ガイド部３３の上に嵌め込み、そのまま下にずらすことで横向きストッパー３４ａを下ガイド３３の傾斜面に当接する。これにより、背板６は、バックフレーム５に対して左右ずれない状態に保持される。
【００５５】
次いで、背板６を、その下端部を支点にして後ろに倒して若干持ち上げ気味にしてバックフレーム５に押圧することによって雌雄嵌合部２７，２８を嵌め合わせ、それから背板６を下向きにずらすことにより、第１係合爪３０と第２係合爪３１とを噛み合わせる。
【００５６】
第１係合爪３０と第２係合爪３１との噛み合わせは、背板６の上端を若干手前に起こした状態で行い、両係合爪３０，３１が噛み合い切るまでは、ストッパー片４４ａの先端はアッパフレーム９の上面板９ａに前から弾性に抗して当接している。
【００５７】
そして、第１係合爪３０と第２係合爪３１とが噛み合い切ると、上係合爪４３が上係合穴４２に嵌まり込むと共に、ストッパー片４４ａがアッパフレーム９における上面板９ａの下方に入り込み（横長溝３８に嵌まり込み）、これにより、背板６は、バックフレーム５に対して上下左右及び前後にずれ不能に保持される。このように、ごく簡単な手順で背板６をバックフレーム５に取り付けることができる。
【００５８】
なお、背板６の下ガイド部３３をサイドフレーム８にセットしてから、背板６を、その下端を支点にして前に倒すことで背板６をバックフレーム５に押さえ込み、これによって係合爪３０，３１を噛み合わせることも可能である。第１係合爪３０の先端面と第２係合爪３１の先端面とには、互いの噛み合いが誘われるように傾斜面が形成されている（傾斜面は例えば３０ａ，３１ａで表示できる。）。この方法を採用すると、組み立ては一層簡単になる。
【００５９】
(3).メッシュ式表皮材７の取付け構造
次に、メッシュ式表皮材７の取付構造を説明する。メッシュ式表皮材７は、その外周に固定されたテープ片によってアッパメンバー１７に取付けられる。すなわち、図９，１０に示すように、メッシュ式表皮材７には、サイドメンバー１６のうち片持ち梁状部１６ａの上方の部位に裏から重なる第１サイドテープ片５３と、サイドメンバー１６の片持ち梁状部１６ａに裏から重なる第２サイドテープ片５４と、背板６の上部のコーナー部に裏から重なるコーナーテープ片５５と、コーナーテープ片５５の間においてアッパメンバー１７に裏から重なるアッパテープ片５６と、背板６のロアメンバー１８に裏から重なるロアテープ片５７とが逢着や接着によって固定されている。テープ片は、縁部材の一例である。
【００６０】
各テープ片はポリプロピレンのような樹脂シートを使用しているが、他の素材を使用することも可能である。コーナーテープ片５５は、第１サイドテープ片５３に一体に連結することも可能である。また、サイドテープ片５３，５３とコーナーテープ片５５とは一連に連続したものを使用して、メッシュ式表皮材７に逢着してから切り込みを入れて独立化することも可能である。
【００６１】
第１サイドテープ片５４には、サイドメンバー１６のボス３６に嵌まる第１取付け穴５８が形成されており、図１３（Ｂ）に示すように、第１サイドテープ片５４は、外側からサイドメンバー１６とサイドフレーム８との間に入り込んで、ボス３６に嵌め込まれている。第１サイドテープ片５４はサイドメンバー１６に向いており、このため、外側からはメッシュ式表皮材７しか見えない。また、メッシュ式表皮材７にはアッパフレーム９の外壁２３が当接しており、このためサイドフレーム８の内部（縦長溝２０）が見えることはない。このため美感に優れている。
【００６２】
なお、背板６は樹脂で製造されるが、塗装することがある。この場合、縦長溝２０の内部まで塗装するのは面倒である。この点、本実施形態のように、外壁２３で縦長溝２０の内部が見えない構成を採用すると、内部は塗装せずに外部のみ塗装したら足りるため、塗装に要するコストを抑制できる。
【００６３】
図１０，１１に示すように、第１サイドテープ片５３には、サイドフレーム８とサイドメンバー１６との連結部の邪魔にならないように切欠き５９を形成している。
【００６４】
第２サイド縁部材５４は切欠きが存在しない帯状の形態を成しており、図９に部分的に示すように、背板６のサイドメンバー１６における片持ち梁状部１６ａには、内側段部１６ｃと外側段部１６ｄとが形成されており、第２サイド縁部材５４は内側段部１６ｃと外側段部１６ｄとの間の空所に嵌め込まれており、このため、その巾方向にずれ不能に保持されている。第２サイド縁部材５４も取付け穴５８を有しており、これを鉤形ボス５０に嵌め込んでいる。
【００６５】
また、第２サイドテープ片５４も取付け穴５８を有しており、これを鉤形ボス５０に嵌め込んでいる。鉤形ボス５０は内向きの鉤形であるため、第２サイドテープ片５４が外れることはない。第２サイドテープ片５４もサイドメンバー１６に重なっており、外からは視認できない。
【００６６】
コーナー縁部材５５も、ボス３６に嵌まることで抜け不能に保持されている。コーナー縁部材５３は、背板６のコーナー部に合わせて斜め外向きに凸のカーブした外形を有するが、図１１においてコーナー縁部材５５は内向き凸の姿勢に表示している。裏側に折り返して背板６に取付けると外向きの凸の姿勢になる。コーナー縁部材５５の内端部は細巾になっており、図１２（Ｃ）に示すように、サイド仕切り板４４に連接したストッパー片４４ａの上側に配置されている。
【００６７】
図１２（Ａ）に示すように、アッパテープ片５６はアッパメンバー１７の上横溝４５に後ろから嵌入している。アッパテープ片５６は上横溝４５の上面に重なっており、従って、アッパテープ片５６が外に露出することはない。アッパテープ片５６の左右両端はサイド仕切り板４４まで延びている。そして、図１２（Ｂ）に示すように、アッパテープ片５６の左右端部は、アッパフレーム９に設けたストッパーリブ６０で後ろ向き移動不能に保持されている。このため、アッパテープ片５６は、上横溝４５に嵌め込んだだけであっても抜け不能に保持されている。
【００６８】
図１２（Ｂ）に示すように、ロアテープ片５７はロアメンバー１８を後ろから塞ぐように配置されており、左右中間部と左右側部との３カ所に、ロアメンバー１８の下係合穴４７に嵌入するつ形の係合爪６１を形成しており、係合爪を係合穴４７の下突起４８に前から引っ掛けている。これによって、ロアテープ片５６は、ロアメンバー１８に離脱不能に保持されている。
【００６９】
背板６へのメッシュ式表皮材７の取り付けは、まず、左右のサイドテープ片５３，５４を装着し、次いで、ロアテープ片５７を装着し、最後にアッパテープ片５６を装着する、いう手順で行われる。このように、メッシュ式表皮材７が装着された背板６をバックフレーム５に取り付ける。バックフレーム５への取付けに際して、メッシュ式表皮材７の周縁部はバックフレーム５に当接して多少伸び変形する。
【００７０】
(4).クッション材の取付け構造
背板６には、クッション材を張ることも可能である。この点は、図１４〜図１６で表示している。クッション材６３は、クロス等からなる表裏シート６４，６５を有する袋体６６に収納されている。袋体６６は表皮材の一例である。
【００７１】
図１４から理解できるように、袋体６６は基本的には上向きに開口しており、バックフレーム５（サイドフレーム８）の頂点部１４よりも上の部分では左右側部も切り開かれている。正確に述べると、背板６の前面にクッション材６３を張って、両者を袋体６６ですっぽり覆っている。従って、裏シート６５は背板６の裏側に位置しており、背板６は裏からは視認できない（透けて見えることは有り得るが。）。
【００７２】
そして、表シート６４の側縁と裏シート６５の側縁とに第１サイドテープ片５３を取付け、裏シート６５のコーナー部にコーナーテープ片５５を取付け、表裏シート６４，６５の上端縁にアッパテープ片５６取り付けている。上シート６５にはコーナーテープ片５５は取付けていないが、これに取り付けることも可能である。
【００７３】
図１６に示すように、表シート６４の第１サイドテープ片５３は、メッシュ式表皮材７の場合と同様の態様でボス３６に嵌まっている。他方、裏シート６５の第１サイドテープ片５３は、内側からサイドメンバー１６に裏側に配置されて、ボス３６に嵌まっている。従って、裏シート６５の側部は、サイドフレーム８と内壁２２とサイドメンバー１６の内リブ２４とで挟まれている。
【００７４】
図１５に示すように、表シート６４のアッパーテープ片５６は、メッシュ式表皮材７の場合と同様に上横溝４５に嵌まっている一方、裏シート６５のアッパーテープ片５６は、下横溝４６に後ろから嵌まっている。そして、上下のアッパテープ片５６の左右端部は、アッパフレーム９の押さえ部３９で後ろ向き移動不能に保持されている。コーナーテープ片５５は、メッシュ式表皮材７の場合と同様にして配置されている。背板６の片持ち梁状部６ａは袋体６６ですっぽり覆われているので、テープ片のような取付け手段は必要ない。
【００７５】
図１６に示すように、クッション材６３をサイドメンバー１６の側縁まで回り込ませると、クッション材６３の縁部がサイドフレーム８の外段部２６に入り込み得る。このためクッション材６３の縁部を美麗に処理できて美感をアップできる。
【００７６】
(5).その他
本願発明は、上記の各実施形態の他にも様々に具体化できる。例えば、背板は単なる板状（シェル状）の形態であってもよい。体圧支持体は必ずしも背板ある必要はなく、例えば、前後に開口したフレーム材にメッシュ状のサポートシートを張った構造でもよい。
【産業上の利用可能性】
【００７７】
本願発明は、椅子に適用して有用性を発揮する。よって、産業上利用できる。
【符号の説明】
【００７８】
４  背もたれ
５  バックフレーム
６  背板
６ａ  背板の上露出部
６ｂ  背板の片持ち梁状部
７  メッシュ式表皮材
８  サイドフレーム
９  アッパーフレーム
１０  ロアフレーム
１３  上空間
１４  サイドフレームの頂点部
１６  背板のサイドメンバー
１６ａ  サイドメンバーの片持ち梁状部
１７  背板のアッパーメンバー
１８  背板のロアメンバー
１９  横長サポート板
【手続補正３】
【補正対象書類名】図面
【補正対象項目名】図４
【補正方法】変更
【補正の内容】
【図４】
2016152997.tif 000001
【手続補正４】
【補正対象書類名】図面
【補正対象項目名】図５
【補正方法】変更
【補正の内容】
【図５】
2016152997.tif 000002
【手続補正５】
【補正対象書類名】図面
【補正対象項目名】図６
【補正方法】変更
【補正の内容】
【図６】
2016152997.tif 000003
【手続補正６】
【補正対象書類名】図面
【補正対象項目名】図７
【補正方法】変更
【補正の内容】
【図７】
2016152997.tif 000004
【手続補正７】
【補正対象書類名】図面
【補正対象項目名】図８
【補正方法】変更
【補正の内容】
【図８】
2016152997.tif 000005
【手続補正８】
【補正対象書類名】図面
【補正対象項目名】図９
【補正方法】変更
【補正の内容】
【図９】
2016152997.tif 000006
【手続補正９】
【補正対象書類名】図面
【補正対象項目名】図１１
【補正方法】変更
【補正の内容】
【図１１】
2016152997.tif 000007
【手続補正１０】
【補正対象書類名】図面
【補正対象項目名】図１２
【補正方法】変更
【補正の内容】
【図１２】
2016152997.tif 000008
【手続補正１１】
【補正対象書類名】図面
【補正対象項目名】図１３
【補正方法】変更
【補正の内容】
【図１３】
2016152997.tif 000009
【手続補正１２】
【補正対象書類名】図面
【補正対象項目名】図１５
【補正方法】変更
【補正の内容】
【図１５】
2016152997.tif 000010
【手続補正１３】
【補正対象書類名】図面
【補正対象項目名】図１６
【補正方法】変更
【補正の内容】
【図１６】
2016152997.tif 000011